(57)【要約】      （修正有）【課題】カーボン系固体酸触媒の再生に要するエネルギーコストを従来よりも低減させる方法を提供する。【解決手段】可溶化物の処理に供された使用済みカーボン系固体酸触媒を硫酸の雰囲気下に置くスルホン化手段反応管３ａ、入口三方弁３ｂ、出口三方弁３ｃ、硫酸タンク３ｄ、硫酸供給ポンプ３ｅ、硫酸供給弁３ｆ、硫酸供給管３ｇ、エタノールタンク３ｈ、エタノール供給ポンプ３ｉ、エタノール供給弁３ｊ、吸引ポンプ３ｋ、排出弁３ｍを備える。【選択図】図２
2014000501.tif 000002
【特許請求の範囲】
【請求項１】
可溶化物の処理に供された使用済みカーボン系固体酸触媒を硫酸の雰囲気下に置くスルホン化工程を有することを特徴とするカーボン系固体酸触媒の再生方法。
【請求項２】
前記スルホン化工程は、
前記脱水工程後の使用済みカーボン系固体酸触媒を濃硫酸に浸漬させる濃硫酸浸漬工程と、
該濃硫酸浸漬工程後の使用済みカーボン系固体酸触媒に三酸化硫黄ガスを供給して残留濃硫酸を高濃度化あるいは発煙硫酸化する三酸化硫黄ガス供給工程と
を含むことを特徴とする請求項１記載のカーボン系固体酸触媒の再生方法。
【請求項３】
使用済みカーボン系固体酸触媒を硫酸の雰囲気下に置く前に該使用済みカーボン系固体酸触媒に脱水処理を施すことで前記硫酸の濃度を維持することを特徴とする請求項１または２記載のカーボン系固体酸触媒の再生方法。
【請求項４】
前記スルホン化工程は、前記脱水処理の前に使用済みカーボン系固体酸触媒を洗浄する洗浄処理を備えることを特徴とする請求項３に記載のカーボン系固体酸触媒の再生方法。
【請求項５】
可溶化物の処理に供された使用済みカーボン系固体酸触媒を硫酸の雰囲気下に置くスルホン化手段を備えることを特徴とするカーボン系固体酸触媒の再生装置。
【請求項６】
前記スルホン化手段は、
前記脱水処理後の使用済みカーボン系固体酸触媒を濃硫酸に浸漬させる濃硫酸浸漬手段と、
該濃硫酸浸漬手段後の使用済みカーボン系固体酸触媒に三酸化硫黄ガスを供給して残留濃硫酸を高濃度化あるいは発煙硫酸化する三酸化硫黄ガス供給手段と
を含むことを特徴とする請求項５記載のカーボン系固体酸触媒の再生装置。
【請求項７】
使用済みカーボン系固体酸触媒を硫酸の雰囲気下に置く前に該使用済みカーボン系固体酸触媒に脱水処理を施すことで前記硫酸の濃度を維持することを特徴とする請求項５または６記載のカーボン系固体酸触媒の再生装置。
【発明の詳細な説明】
【技術分野】
【０００１】
本発明は、触媒としての性能が劣化したカーボン系固体酸触媒の再生方法及び再生装置に関する。
【背景技術】
【０００２】
下記特許文献１には、使用によって機能が劣化した固体酸触媒を再生（再活性）させる方法が開示されている。この再生方法は、カーボン系固体酸触媒として知られているスルホ基含有炭素質材料を硫酸（濃硫酸あるいは発煙硫酸）の存在下で８０℃〜２００℃に加熱処理することにより行われるものである。なお、カーボン系固体酸触媒は、炭素材料をスルホン化することによって得られる固体酸触媒である。
【０００３】
また、下記特許文献２には、バイオマスを加圧熱水処理した後に固体酸触媒で単糖化するバイオマスの糖化方法が開示されている。この特許文献２における固体酸触媒は、ゼオライト、アルミナ、シリカアルミナ、活性炭、陽イオン交換樹脂、スルホン化活性炭、スルホン化メソポーラスシリカ、スルホン化炭素材料、硫酸ジルコニア、タングステン酸ジルコニア、リン酸ジルコニウム等であるが、スルホン化炭素材料はカーボン系固体酸触媒である。
【先行技術文献】
【特許文献】
【０００４】
【特許文献１】再公表ＷＯ２００９／００４９４９号公報
【特許文献２】特開２０１０−２７９２５５号公報
【発明の概要】
【発明が解決しようとする課題】
【０００５】
ところで、上記特許文献１の固体酸触媒の再生方法では、スルホ基含有炭素質材料を硫酸（濃硫酸あるいは発煙硫酸）の存在下で８０℃〜２００℃に加熱処理するものなので、再生処理に必要なエネルギーコストが嵩むという問題がある。上記特許文献２に記載されるようなバイオマスの糖化方法にカーボン系固体酸触媒を実用に供するためには、カーボン系固体酸触媒の再生処理に要するエネルギーコストを低減することは極めて重要な技術課題である。
【０００６】
本発明は、上述した事情に鑑みてなされたものであり、カーボン系固体酸触媒の再生に要するエネルギーコストを従来よりも低減させることを目的とするものである。
【課題を解決するための手段】
【０００７】
上記目的を達成するために、本発明では、カーボン系固体酸触媒の再生方法に係る第１の解決手段として、可溶化物の処理に供された使用済みカーボン系固体酸触媒を硫酸の雰囲気下に置くスルホン化工程を有する、という手段を採用する。
【０００８】
カーボン系固体酸触媒の再生方法に係る第２の解決手段として、上記第１の解決手段において、スルホン化工程は、脱水工程後の使用済みカーボン系固体酸触媒を濃硫酸に浸漬させる濃硫酸浸漬工程と、該濃硫酸浸漬工程後の使用済みカーボン系固体酸触媒に三酸化硫黄ガスを供給して残留濃硫酸を高濃度化あるいは発煙硫酸化する三酸化硫黄ガス供給工程とを含む、という手段を採用する。
【０００９】
カーボン系固体酸触媒の再生方法に係る第３の解決手段として、上記第１または第２の解決手段において、使用済みカーボン系固体酸触媒を硫酸の雰囲気下に置く前に該使用済みカーボン系固体酸触媒に脱水処理を施すことで硫酸の濃度を維持する、という手段を採用する。
【００１０】
カーボン系固体酸触媒の再生方法に係る第４の解決手段として、上記第３の解決手段において、スルホン化工程は、脱水処理の前に使用済みカーボン系固体酸触媒を洗浄する洗浄処理を備える、という手段を採用する。
【００１１】
また、本発明では、カーボン系固体酸触媒の再生装置に係る第１の解決手段として、可溶化物の処理に供された使用済みカーボン系固体酸触媒を硫酸の雰囲気下に置くスルホン化手段を有する、という手段を採用する。
【００１２】
カーボン系固体酸触媒の再生装置に係る第２の解決手段として、上記第１の解決手段において、スルホン化手段は、脱水処理後の使用済みカーボン系固体酸触媒を濃硫酸にさせる濃硫酸浸漬手段と、該濃硫酸浸漬手段後の使用済みカーボン系固体酸触媒に三酸化硫黄ガスを供給して残留濃硫酸を高濃度化あるいは発煙硫酸化する三酸化硫黄ガス供給手段とを含む、という手段を採用する。
【００１３】
カーボン系固体酸触媒の再生装置に係る第３の解決手段として、上記第１または第２の解決手段において、使用済みカーボン系固体酸触媒を硫酸の雰囲気下に置く前に該使用済みカーボン系固体酸触媒に脱水処理を施すことで硫酸の濃度を維持する、という手段を採用する。
【００１４】
カーボン系固体酸触媒の再生装置に係る第４の解決手段として、上記第３の解決手段において、スルホン化手段は、脱水処理の前に使用済みカーボン系固体酸触媒を洗浄する洗浄処理を備える、という手段を採用する。
【発明の効果】
【００１５】
本発明によれば、可溶化物の処理に供された使用済みカーボン系固体酸触媒を硫酸の雰囲気下に置くスルホン化工程を有するので、つまり硫酸の濃度を維持するにより従来の加熱処理に必要なコストを低減できるので、使用済みカーボン系固体酸触媒の再生に要するエネルギーコストを従来よりも低減できる。
【図面の簡単な説明】
【００１６】
【図１】本発明の第１実施形態に係るカーボン系固体酸触媒の再生装置３Ａを備えるエタノール製造プラントＡの機能構成を示すブロック図である。
【図２】本発明の第１実施形態に係るカーボン系固体酸触媒の再生装置３Ａの詳細構成を示す模式図である。
【図３】本発明の第１実施形態の変形例に係るカーボン系固体酸触媒の再生装置３Ｂの詳細構成を示す模式図である。
【図４】本発明の第１実施形態においてカーボン系固体酸触媒の再生結果を示す第１のグラフである。
【図５】本発明の第１実施形態においてカーボン系固体酸触媒の再生結果を示す第２のグラフである。
【図６】本発明の第２実施形態に係るカーボン系固体酸触媒の再生装置３Ｃ及び固体酸触媒糖化装置１３の詳細構成を示す模式図である。
【図７】本発明の第２実施形態における再生反応槽３１の構成例を示す模式図である。
【図８】本発明の第１実施形態のさらなる変形例に係るカーボン系固体酸触媒の再生装置の詳細構成を示す模式図である。
【図９】本発明の第１実施形態のさらなる変形例に係るカーボン系固体酸触媒の再生装置の詳細構成を示す模式図である。
【発明を実施するための形態】
【００１７】
以下、図面を参照して、本発明の実施形態について説明する。
〔第１実施形態〕
第１実施形態に係るカーボン系固体酸触媒の再生装置３Ａ（以下、固体酸触媒再生装置３Ａと略記する。）は、図１に示すように、エタノール製造プラントＡに一体として設けられている。
【００１８】
すなわち、エタノール製造プラントＡは、熱水処理装置１、酵素糖化装置２、固体酸触媒糖化装置３、エタノール発酵装置４及び蒸留装置５から構成されるが、これら構成要素のうち、固体酸触媒糖化装置３は、本実施形態に係る固体酸触媒再生装置３Ａをも構成する。このようなエタノール製造プラントＡは、バイオマスの一種である木材チップや廃建材など、主成分としてセルロース、ヘミセルロース及びリグニンを含有する木質系バイオマスを原料としてバイオエタノールを生成する化学プラントである。
【００１９】
熱水処理装置１は、例えば熱水流通式反応装置であり、加圧熱水を上記木質系バイオマスに作用させることにより、木質系バイオマスに含まれるヘミセルロース（固体）を選択的に加水分解して可溶化させる装置である。木質系バイオマスは、セルロース、ヘミセルロース及びリグニンを主成分とするセルロース系バイオマスである。
【００２０】
これら主成分のうち、ヘミセルロースは、比較的低温の２００〜２３０℃の加圧熱水を作用させると容易に加水分解されて五炭糖が重合したヘミセルロース由来のオリゴ糖を主成分とする多糖類（ヘミセルロース分解物）に分解（可溶化）するが、セルロースは、２００〜２３０℃の加圧熱水では殆ど分解しない。特に、セルロースを加圧熱水で加水分解するためには、２００〜２３０℃を超える例えば２４０〜３００℃程度の加圧熱水を木質系バイオマスに作用させる必要がある。
【００２１】
熱水処理装置１は、このようなセルロース、ヘミセルロース及びリグニンの加圧熱水に対する性質を利用することにより、木質系バイオマスに含まれるヘミセルロースを五炭糖が重合したヘミセルロース由来のオリゴ糖を主成分とする多糖類（ヘミセルロース分解物）に選択的に分解（可溶化）させ、この多糖類を含む多糖液とセルロース及びリグニンを含む固形物とを酵素糖化装置２に供給する。なお、上記加圧熱水とは、亜臨界状態の熱水であって、液体状態を維持するために加圧された加圧熱水である。
【００２２】
酵素糖化装置２は、熱水処理装置１から流入する多糖液及び固形物に糖化酵素であるセルラーゼを添加し、固形物中のセルロースにセルラーゼを作用させることによってセロビオース（グルコースが２量体重合したもの）を主成分とする水溶性オリゴ糖（グルコースが２〜７量体重合したもの）に加水分解し、この水溶性オリゴ糖等の多糖類を含む多糖液を固体酸触媒糖化装置３に供給する。セルラーゼは、セルロースを水溶性オリゴ糖に加水分解するための糖化酵素であるβ−グルカナーゼを含み、このβ−グルカナーゼの作用によってセルロースから水溶性オリゴ糖を生成する。
【００２３】
固体酸触媒糖化装置３は、粒状のカーボン系固体酸触媒が内部に充填された管状体であり、酵素糖化装置２から流入する多糖液中の多糖類にカーボン系固体酸触媒を作用させて加水分解することによって単糖類（グルコース及びキシロース）を生成し、当該単糖類を主成分とする単糖液をエタノール発酵装置４に送出する。
【００２４】
このような固体酸触媒糖化装置３は、上述したように固体酸触媒再生装置３Ａをも構成するものである。すなわち、固体酸触媒再生装置３Ａは、図２に示すように、上記カーボン系固体酸触媒が内部に充填された反応管３ａ、入口三方弁３ｂ、出口三方弁３ｃ、硫酸タンク３ｄ、硫酸供給ポンプ３ｅ、硫酸供給弁３ｆ、硫酸供給管３ｇ、エタノールタンク３ｈ、エタノール供給ポンプ３ｉ、エタノール供給弁３ｊ、吸引ポンプ３ｋ及び排出弁３ｍから構成されている。
【００２５】
このような固体酸触媒再生装置３Ａは、反応管３ａ内に充填されると共に多糖液中の多糖類の加水分解に使用されたカーボン系固体酸触媒を再生処理する装置である。すなわち、この固体酸触媒再生装置３Ａは、木質系バイオマスに含まれるセルロースまたはヘミセルロース（固体）が可溶した多糖液（可溶化物）の加水分解に供された使用済みカーボン系固体酸触媒の触媒活性を回復させる装置である。
【００２６】
上記各構成要素のうち、反応管３ａ、入口三方弁３ｂ、出口三方弁３ｃ、硫酸供給弁３ｆ、エタノール供給弁３ｊ及び排出弁３ｍは、固体酸触媒糖化装置３を構成している。反応管３ａは、断面が円形の直管状容器であり、一端（左端）に配管を介して入口三方弁３ｂが接続され、他端（右端）には配管を介して出口三方弁３ｃが接続されている。また、この反応管３ａには、周面の上側に硫酸供給管３ｇが接続されると共に周面の上側かつ一端（左端）側に配管を介してエタノール供給弁３ｊが接続されている。さらに、この反応管３ａには、周面の下側に配管を介して排出弁３ｍが接続されている。
【００２７】
入口三方弁３ｂは、このような反応管３ａと酵素糖化装置２とを接続する配管に取り付けられた三方弁であり、酵素糖化装置２から反応管３ａへの多糖液の供給と吸気口から反応管３ａへの空気の供給とを切り替える。出口三方弁３ｃは、反応管３ａとエタノール発酵装置４とを接続する配管に取り付けられた三方弁であり、反応管３ａからエタノール発酵装置４への単糖液の排出と反応管３ａから吸引ポンプ３ｋへの空気（水分を帯びたもの）の排出とを切り替える。
【００２８】
硫酸タンク３ｄは、硫酸を貯留する所定容量の容器であり、硫酸を硫酸供給ポンプ３ｅに供給する。硫酸供給ポンプ３ｅは、硫酸タンク３ｄから硫酸を汲み出して硫酸供給弁３ｆに供給するポンプである。硫酸供給弁３ｆは、硫酸供給ポンプ３ｅと硫酸供給管３ｇとを接続する配管に取り付けられた開閉弁であり、当該配管の流路（硫酸流路）を開閉する。
【００２９】
硫酸供給管３ｇは、硫酸供給弁３ｆと反応管３ａとを接続する配管であり、図示するように複数に分岐して反応管３ａの周面に接続されている。このような硫酸供給管３ｇは、直管状容器である反応管３ａの各所に分散して硫酸を供給し得るものである。エタノールタンク３ｈは、エタノールを貯留する所定容量の容器であり、エタノールをエタノール供給ポンプ３ｉに供給する。エタノール供給ポンプ３ｉは、エタノールタンク３ｈからエタノールを汲み出してエタノール供給弁３ｊに供給する。
【００３０】
エタノール供給弁３ｊは、エタノール供給ポンプ３ｉと反応管３ａとを接続する配管に取り付けられた開閉弁であり、当該配管の流路（エタノール流路）を開閉する。吸引ポンプ３ｋは、出口三方弁３ｃに接続され、反応管３ａ内の空気（水分を帯びたもの）を強制排気する。排出弁３ｍは、反応管３ａ内の液体（単糖液、エタノール、硫酸等）を外部に排出するための開閉弁である。
【００３１】
エタノール発酵装置４は、固体酸触媒糖化装置３から流入する単糖液に、酵母等のエタノール発酵微生物と、窒素、リン等の栄養源とを添加し、適切な温度、ｐＨ等の条件下で微生物を培養してアルコール発酵させる装置である。このエタノール発酵装置４は、アルコール発酵によって生成されたバイオエタノールを蒸留装置５に供給する。エタノール発酵微生物としては、サッカロミセス属酵母などの公知の各種微生物を用いることができる。蒸留装置５は、上記エタノール発酵装置４から流入するエタノールの蒸留及び濃縮を行うことにより純度の高いエタノールを生成し、製品として外部に送出する。
【００３２】
なお、図示していないが、上記入口三方弁３ｂ、出口三方弁３ｃ、硫酸供給ポンプ３ｅ、硫酸供給弁３ｆ、エタノール供給ポンプ３ｉ、エタノール供給弁３ｊ、吸引ポンプ３ｋ及び排出弁３ｍは、所定の制御装置によって統一的かつ自動的に制御される。この制御装置は、例えば所定の制御プログラムに基づいて上記各ポンプや各弁を所定の手順で駆動する。
【００３３】
次に、このように構成されたエタノール製造プラントＡの動作について説明する。
このエタノール製造プラントＡには、エタノール製造モードと固体酸触媒再生モードとの２つの動作モードがある。この２つの動作モードは、上記制御装置によって自動的に切り替えられる。
【００３４】
エタノール製造モードは、入口三方弁３ｂが酵素糖化装置２と反応管３ａとを接続すると共に出口三方弁３ｃが反応管３ａとエタノール発酵装置４とを接続し、かつ、硫酸供給弁３ｆ、エタノール供給弁３ｊ及び排出弁３ｍが閉状態に設定されることにより、反応管３ａが固体酸触媒糖化装置３として機能する動作モードである。一方、固体酸触媒再生モードは、入口三方弁３ｂ、出口三方弁３ｃ、硫酸供給ポンプ３ｅ、硫酸供給弁３ｆ、エタノール供給ポンプ３ｉ、エタノール供給弁３ｊ、吸引ポンプ３ｋ及び排出弁３ｍを適宜制御することにより、反応管３ａが固体酸触媒再生装置３Ａとして機能する動作モードである。
【００３５】
上記制御装置は、エタノール製造モードにおいて、上述したように入口三方弁３ｂ、出口三方弁３ｃ、硫酸供給弁３ｆ、エタノール供給弁３ｊ及び排出弁３ｍを自動制御する。この結果、反応管３ａには、入口三方弁３ｂを介して多糖液が供給される。制御装置は、反応管３ａに所定量の多糖液が溜まると、制御信号を入口三方弁３ｂに出力することにより入口三方弁３ｂを閉状態として反応管３ａを密閉状態とすることにより、多糖液中の多糖類を９０℃〜１２０℃の加熱温度下において反応管３ａ内に充填されたカーボン系固体酸触媒に反応させる。
【００３６】
そして、制御装置は、エタノール製造モードにおいて、上述したカーボン系固体酸触媒の反応処理（単糖化処理）を繰り返すことによってカーボン系固体酸触媒の継続使用が所定時間（例えば１０００時間使用）を超えた場合には、カーボン系固体酸触媒の触媒機能が低下するので、動作モードをエタノール製造モードから固体酸触媒再生モードに切り替える。この結果、固体酸触媒再生装置３Ａは、制御装置による制御に基づいて以下の使用済みカーボン系固体酸触媒の再生処理（スルホン化処理）を行う。
【００３７】
〔洗浄処理〕
まず、固体酸触媒再生装置３Ａは、再生処理（スルホン化処理）の最初の処理として、使用済みカーボン系固体酸触媒の洗浄処理を行う。つまり、固体酸触媒再生装置３Ａでは、入口三方弁３ｂが酵素糖化装置２と反応管３ａとを接続すると共に出口三方弁３ｃが反応管３ａとエタノール発酵装置４とを接続し、かつ、硫酸供給弁３ｆ、エタノール供給弁３ｊ及び排出弁３ｍが閉状態に設定される。この結果、反応管３ａは、熱水処理装置１内で生成される熱水（蒸留水）が酵素糖化装置２を介して供給されると共に内部を流通し、該熱水を出口三方弁３ｃ介して排出する。
【００３８】
固体酸触媒再生装置３Ａは、この処理を所定時間（例えば１〜２４時間）実行する。これにより、使用済みカーボン系固体酸触媒は、熱水あるいは水によって洗浄される。なお、熱水処理装置１及び酵素糖化装置２内は、バイオマスやバイオマスの分解物（多糖類等）が無い状態であるので、上記熱水には、バイオマスやバイオマスの分解物等の不純物は含まれていない。また、処理条件として、熱水の温度は１００℃付近が好ましいが、１００℃以下の温水や常温の水でも同様な効果が期待できる。また、熱水の供給量は５ｍｌ/ｍｉｎである。
【００３９】
〔脱水処理〕
次に、固体酸触媒再生装置３Ａは、上記洗浄処理が完了すると、使用済みカーボン系固体酸触媒の脱水処理を行う。例えば、固体酸触媒再生装置３Ａは、使用済みカーボン系固体酸触媒の吸引ろ過処理を行う。つまり、固体酸触媒再生装置３Ａでは、入口三方弁３ｂが酵素糖化装置２と反応管３ａとを遮断すると共に吸気口と反応管３ａとを接続し、出口三方弁３ｃが反応管３ａとエタノール発酵装置４とを遮断すると共に反応管３ａと吸引ポンプ３ｋとを接続し、さらに吸引ポンプ３ｋが稼動する。また、硫酸供給弁３ｆ、エタノール供給弁３ｊ及び排出弁３ｍは閉状態に設定される。この結果、反応管３ａは、吸気口を介して流入した空気が流通し、該空気を出口三方弁３ｃを介して排出する。これによって、使用済みカーボン系固体酸触媒に付着した水分は、乾燥して、流通する空気と共に反応管３ａの外に排出される。
【００４０】
そして、固体酸触媒再生装置３Ａは、上記吸引ろ過処理の後に、使用済みカーボン系固体酸触媒をエタノールに浸漬させて脱水する。つまり、固体酸触媒再生装置３Ａでは、エタノール供給弁３ｊが開状態に設定されると共にエタノール供給ポンプ３ｉが稼動し、かつ、入口三方弁３ｂ、出口三方弁３ｃ、硫酸供給弁３ｆ及び排出弁３ｍが閉状態に設定される。これによって、反応管３ａ内には、エタノール供給弁３ｊを介してエタノールが供給されると共に溜まる。
【００４１】
固体酸触媒再生装置３Ａでは、反応管３ａに所定量のエタノールが溜まると、エタノール供給弁３ｊが閉状態に設定されると共にエタノール供給ポンプ３ｉが停止する。この結果、反応管３ａ内の使用済みカーボン系固体酸触媒は、エタノールに浸漬した状態となって脱水される。固体酸触媒再生装置３Ａでは、所定時間（例えば１〜２４時間）使用済みカーボン系固体酸触媒をエタノールに浸漬すると、排出弁３ｍが開状態に設定されて反応管３ａ内のエタノールを排出する。なお、上述した流路を閉鎖してエタノールに浸漬させる方式（バッチ方式）ではなく、エタノールを所定時間流通させて置換させる方式であってもよい。これによって、脱水の程度は排出されるエタノール中の含水率から確認することが可能になる。また排出と浸漬を繰り返す方式（セミバッチ方式）であってもよい。
【００４２】
〔硫酸浸漬処理〕
次に、固体酸触媒再生装置３Ａは、上記脱水処理が完了すると、使用済みカーボン系固体酸触媒の硫酸浸漬処理を行う。つまり、固体酸触媒再生装置３Ａでは、硫酸供給弁３ｆが開状態に設定されると共に硫酸供給ポンプ３ｅが稼動し、かつ、入口三方弁３ｂ、出口三方弁３ｃ、エタノール供給弁３ｊ及び排出弁３ｍが閉状態に設定される。これによって、反応管３ａ内には、硫酸供給管３ｇを介して硫酸が供給されると共に溜まる。
【００４３】
固体酸触媒再生装置３Ａでは、反応管３ａに所定量の硫酸が溜まると、硫酸供給弁３ｆが閉状態に設定されると共に硫酸供給ポンプ３ｅが停止する。この結果、反応管３ａ内の使用済みカーボン系固体酸触媒は、硫酸に浸漬した状態となってスルホン化される。固体酸触媒再生装置３Ａでは、所定時間（例えば５時間）使用済みカーボン系固体酸触媒を硫酸に浸漬すると、排出弁３ｍが開状態に設定されて反応管３ａ内の硫酸を排出する。この硫酸浸漬処理の処理条件として、硫酸の濃度は９２％以上（濃硫酸）が望ましく、発煙硫酸を用いることも可能である。
【００４４】
このような硫酸浸漬処理によって、使用済みカーボン系固体酸触媒のスルホ基を復活させることができる。また、使用済みカーボン系固体酸触媒を硫酸に浸漬する前に使用済みカーボン系固体酸触媒を脱水しているので使用済みカーボン系固体酸触媒に付着した水分によって硫酸が希釈されることを防ぐことができる。また、流路を閉鎖して硫酸に浸漬させる方式（バッチ方式）ではなく、硫酸を所定時間流通させてスルホン化させる方式、また排出と浸漬を繰り返す方式（セミバッチ方式）であってもよい。
【００４５】
〔第２の洗浄処理〕
次に、固体酸触媒再生装置３Ａは、上記硫酸浸漬処理が完了すると、エタノールを用いてカーボン系固体酸触媒（触媒活性が復活したもの）の洗浄処理（第２の洗浄処理）を行う。つまり、固体酸触媒再生装置３Ａでは、エタノール供給弁３ｊが開状態に設定されると共にエタノール供給ポンプ３ｉが稼動し、出口三方弁３ｃが反応管３ａとエタノール発酵装置４とを接続し、かつ、入口三方弁３ｂ、硫酸供給弁３ｆ及び排出弁３ｍが閉状態に設定される。この結果、反応管３ａは、エタノール供給弁３ｊを介してエタノールが供給されると共に内部を流通し、該エタノールを出口三方弁３ｃを介して排出する。固体酸触媒再生装置３Ａは、上記処理を所定時間行う。この結果、反応管３ａ内のカーボン系固体酸触媒は、エタノールによって洗浄される。カーボン系固体酸触媒は、上記処理によって洗浄された後、室温かつ減圧状態（吸引ろ過）で乾燥される。なお、この第２の洗浄処理については場合によって省略することが可能である。
【００４６】
次に、固体酸触媒再生装置３Ａの変形例である固体酸触媒再生装置３Ｂについて図３を参照して説明する。この固体酸触媒再生装置３Ｂは、硫酸タンク３ｄ、硫酸供給ポンプ３ｅ、硫酸供給弁３ｆ及び硫酸供給管３ｇに代わり濃硫酸タンク３ｎ、濃硫酸供給ポンプ３ｐ、濃硫酸供給弁３ｑ及び濃硫酸供給管３ｒを備えると共に三酸化硫黄ガスタンク３ｓ、三酸化硫黄ガス供給弁３ｔ及び三酸化硫黄ガス供給管３ｕを新たに備え、さらにエタノールタンク３ｈ、エタノール供給ポンプ３ｉ及びエタノール供給弁３ｊを削除した点において固体酸触媒再生装置３Ａと相違する。
【００４７】
したがって、固体酸触媒再生装置３Ｂにおいて固体酸触媒再生装置３Ａと同一の機能構成要素には同一符号を付し、説明を省略する。これら各構成要素のうち、反応管３ａ、入口三方弁３ｂ、出口三方弁３ｃ、排出弁３ｍ、濃硫酸供給弁３ｑ及び三酸化硫黄ガス供給弁３ｔは、固体酸触媒糖化装置３を構成している。また、反応管３ａ、入口三方弁３ｂ、出口三方弁３ｃ及び吸引ポンプ３ｋは、本実施形態における脱水手段を構成する。また、反応管３ａ、入口三方弁３ｂ、出口三方弁３ｃ、排出弁３ｍ、濃硫酸タンク３ｎ、濃硫酸供給ポンプ３ｐ及び濃硫酸供給弁３ｑ、濃硫酸供給管３ｒ、三酸化硫黄ガスタンク３ｓ、三酸化硫黄ガス供給弁３ｔ及び三酸化硫黄ガス供給管３ｕは、本実施形態におけるスルホン化手段を構成する。
【００４８】
濃硫酸タンク３ｎは、濃硫酸を貯留する所定容量の容器であり、濃硫酸を濃硫酸供給ポンプ３ｐに供給する。濃硫酸供給ポンプ３ｐは、濃硫酸タンク３ｎから濃硫酸を汲み出して濃硫酸供給弁３ｑに供給するポンプである。濃硫酸供給弁３ｑは、濃硫酸供給ポンプ３ｐと濃硫酸供給管３ｒとを接続する配管に取り付けられた開閉弁であり、当該配管の流路（濃硫酸流路）を開閉する。濃硫酸供給管３ｒは、濃硫酸供給弁３ｑと反応管３ａとを接続する配管であり、図示するように複数に分岐して反応管３ａの周面に接続されている。このような濃硫酸供給管３ｒは、直管状容器である反応管３ａの各所に分散して濃硫酸を供給し得るものである。
【００４９】
三酸化硫黄ガスタンク３ｓは、三酸化硫黄ガスを貯留する所定容量の容器であり、三酸化硫黄ガスを三酸化硫黄ガス供給弁３ｔに供給する。三酸化硫黄ガス供給弁３ｔは、三酸化硫黄ガスタンク３ｓと三酸化硫黄ガス供給管３ｕとを接続する配管に取り付けられた開閉弁であり、当該配管の流路（三酸化硫黄ガス流路）を開閉する。三酸化硫黄ガス供給管３ｕは、三酸化硫黄ガス供給弁３ｔと反応管３ａとを接続する配管であり、図示するように複数に分岐して反応管３ａの周面に接続されている。このような三酸化硫黄ガス供給弁３ｔは、直管状容器である反応管３ａの各所に分散して三酸化硫黄ガスを供給し得るものである。
【００５０】
なお、図示していないが、入口三方弁３ｂ、出口三方弁３ｃ、吸引ポンプ３ｋ及び排出弁３ｍに加えて濃硫酸供給ポンプ３ｐ、濃硫酸供給弁３ｑ及び三酸化硫黄ガス供給弁３ｔは、所定の制御装置によって統一的かつ自動的に制御される。
【００５１】
次に、このように構成された固体酸触媒再生装置３Ｂの使用済みカーボン系固体酸触媒の再生処理（スルホン化処理）について説明する。
【００５２】
〔洗浄処理〕
まず、固体酸触媒再生装置３Ｂは、再生処理（スルホン化処理）の最初の処理として、使用済みカーボン系固体酸触媒の洗浄処理を行う。つまり、固体酸触媒再生装置３Ｂでは、入口三方弁３ｂ及び出口三方弁３ｃが固体酸触媒再生装置３Ａと同様に制御され、かつ、濃硫酸供給弁３ｑ、排出弁３ｍ及び三酸化硫黄ガス供給弁３ｔが閉状態に設定される。これによって、反応管３ａ内には所定時間（例えば２４時間）熱水（蒸留水）が流通して、反応管３ａ内の使用済みカーボン系固体酸触媒が洗浄される。なお、熱水の温度及び熱水の供給量の条件については、固体酸触媒再生装置３Ａと同様である。
〔脱水処理〕
次に、固体酸触媒再生装置３Ｂは、上記洗浄処理が完了すると、使用済みカーボン系固体酸触媒の脱水処理を行う。つまり、固体酸触媒再生装置３Ｂでは、入口三方弁３ｂ、出口三方弁３ｃ及び吸引ポンプ３ｋが固体酸触媒再生装置３Ａと同様に制御されると共に濃硫酸供給弁３ｑ、排出弁３ｍ及び三酸化硫黄ガス供給弁３ｔが閉状態に設定されることによって吸引ろ過処理を行う。
【００５３】
〔硫酸浸漬処理〕
次に、固体酸触媒再生装置３Ｂは、上記脱水処理が完了すると、使用済みカーボン系固体酸触媒の硫酸浸漬処理を行う。まず、ここで、固体酸触媒再生装置３Ｂは、濃硫酸浸漬処理を行う。つまり、固体酸触媒再生装置３Ｂでは、濃硫酸供給弁３ｑが開状態に設定されると共に濃硫酸供給ポンプ３ｐが稼動し、かつ、入口三方弁３ｂ、出口三方弁３ｃ、排出弁３ｍ及び三酸化硫黄ガス供給弁３ｔが閉状態に設定される。これによって、反応管３ａ内には、濃硫酸供給管３ｒを介して濃硫酸供が供給されると共に溜まる。固体酸触媒再生装置３Ｂでは、反応管３ａに所定量の濃硫酸供が溜まると、濃硫酸供給ポンプ３ｐが閉状態に設定されると共に濃硫酸供給ポンプ３ｐが停止する。この結果、反応管３ａ内の使用済みカーボン系固体酸触媒は、濃硫酸に浸漬した状態となって脱水される。
【００５４】
固体酸触媒再生装置３Ｂでは、所定時間（例えば２４時間）使用済みカーボン系固体酸触媒を濃硫酸に浸漬すると、三酸化硫黄ガス供給弁３ｔが開状態に設定されて三酸化硫黄ガスタンク３ｓから三酸化硫黄ガス供給管３ｕを介して反応管３ａに三酸化硫黄ガスを供給する。つまり、反応管３ａ内の濃流酸に三酸化硫黄ガスが供給されるので、濃流酸中の水と三酸化硫黄ガスとが反応して硫酸（Ｈ２Ｏ＋ＳＯ３→Ｈ２ＳＯ４）が生成され、さらに三酸化硫黄ガスの供給を続けると発煙硫酸が生成される。すなわち、この固体酸触媒再生装置３Ｂでは、使用済みカーボン系固体酸触媒の周囲の濃流酸が高濃度化あるいは発煙硫酸化される。
【００５５】
そして、固体酸触媒再生装置３Ｂでは、反応管３ａに所定量の三酸化硫黄ガスを供給すると、三酸化硫黄ガス供給弁３ｔが閉状態に設定される。この結果、反応管３ａ内の使用済みカーボン系固体酸触媒は、硫酸に浸漬した状態となってスルホン化される。固体酸触媒再生装置３Ｂでは、所定時間（例えば５時間）使用済みカーボン系固体酸触媒を硫酸に浸漬すると、排出弁３ｍが開状態に設定されて反応管３ａ内の硫酸を排出する。なお、硫酸の濃度の条件については９２％以上が望ましい。このような硫酸浸漬処理によって、使用済みカーボン系固体酸触媒のスルホ基を復活させることができる。また、使用済みカーボン系固体酸触媒を硫酸に浸漬する前に使用済みカーボン系固体酸触媒を脱水しているので使用済みカーボン系固体酸触媒に付着した水分によって硫酸が希釈されることを防ぐことができる。
【００５６】
〔第２の洗浄処理〕
次に、固体酸触媒再生装置３Ｂは、上記硫酸浸漬処理が完了すると、水（蒸留水）を用いてカーボン系固体酸触媒（触媒活性が復活したもの）の洗浄処理（第２の洗浄処理）を行う。つまり、固体酸触媒再生装置３Ｂでは、入口三方弁３ｂが酵素糖化装置２と反応管３ａとを接続すると共に出口三方弁３ｃが反応管３ａとエタノール発酵装置４とを接続し、かつ、入口三方弁３ｂ、硫酸供給弁３ｆ及び排出弁３ｍが閉状態に設定される。この結果、反応管３ａは、熱水処理装置１内水が酵素糖化装置２を介して供給されると共に内部を流通し、該水を出口三方弁３ｃを介して排出する。固体酸触媒再生装置３Ｂは、上記処理を所定時間行う。カーボン系固体酸触媒は、上記処理によって洗浄された後、８０℃の温度下で乾燥される。
【００５７】
上記固体酸触媒再生装置３Ａによる使用済みカーボン系固体酸触媒の再生処理に加えて、使用済みカーボン系固体酸触媒を硫酸に５時間浸漬する際に攪拌した再生結果は、図４（ａ）に示す結果となる。つまり、図４（ａ）には、使用済みカーボン系固体酸触媒（６ｇ）を吸引ろ過後に、エタノールに浸漬させることにより脱水し、使用済みカーボン系固体酸触媒を硫酸（発煙硫酸２０ｍｌ）に５時間浸漬すると共に攪拌し、その後エタノールによって洗浄して、室温及び減圧状態（吸引ろ過）で乾燥させた場合の使用済みカーボン系固体酸触媒の再生結果について示されている。再生結果としては、セルビオースの転化率及びグルコースの収率が示されている。図４（ａ）に示すように、使用済みカーボン系固体酸触媒の触媒機能は初期に近い状態まで再生する。
【００５８】
また、上記固体酸触媒再生装置３Ｂによる使用済みカーボン系固体酸触媒の再生処理に加えて、使用済みカーボン系固体酸触媒を硫酸に５時間浸漬する際に攪拌した再生結果は、図４（ｂ）に示す結果となる。つまり、図４（ｂ）には、使用済みカーボン系固体酸触媒（６ｇ）を吸引ろ過後に、使用済みカーボン系固体酸触媒を濃流酸に浸漬することにより脱水し、その後、該濃流酸に三酸化硫黄ガスを供給することよって発煙硫酸を生成し、使用済みカーボン系固体酸触媒をこの発煙硫酸（発煙硫酸２０ｍｌ）に５時間の間浸漬すると共に攪拌し、その後蒸留水によって洗浄して、８０℃で乾燥させた場合の使用済みカーボン系固体酸触媒の再生結果について示されている。図４（ｂ）に示すように、ここでも、使用済みカーボン系固体酸触媒の触媒機能は初期に近い状態まで再生する。
【００５９】
また、図５（ａ）、（ｂ）は、上記条件以外の再生結果である。つまり、図５（ａ）には、使用済みカーボン系固体酸触媒を吸引ろ過後に、使用済みカーボン系固体酸触媒（６ｇ）を発煙硫酸（発煙硫酸２０ｍｌ）に５時間の間浸漬すると共に攪拌し、その後蒸留水によって洗浄し、８０℃で乾燥させた場合の使用済みカーボン系固体酸触媒の再生結果について示されている。また、図５（ｂ）には、使用済みカーボン系固体酸触媒を吸引ろ過後に、使用済みカーボン系固体酸触媒（６ｇ）を発煙硫酸（発煙硫酸１３ｍｌ）に５時間の間浸漬させると共に、その後蒸留水によって洗浄し、８０℃で乾燥させた場合の使用済みカーボン系固体酸触媒の再生結果について示されている。
【００６０】
ここで、図５（ａ）、（ｂ）の場合、脱水処理が吸引ろ過のみであり、図４（ａ）、（ｂ）の場合のようにエタノールや濃硫酸に浸漬する処理を行っていないので、使用済みカーボン系固体酸触媒の表面にある程度の水分が付着している。この結果、発煙硫酸は、この水分によって多少希釈され、濃度が９２％程度の濃硫酸になっている。この図５（ａ）、（ｂ）に示すように、このような濃硫酸によっても、使用済みカーボン系固体酸触媒の触媒機能は十分に再生する。
【００６１】
このような本実施形態によれば、セルロースまたはヘミセルロースの可溶化物（多糖液）の加水分解に供された使用済みカーボン系固体酸触媒を発煙硫酸あるいは濃硫酸の雰囲気下に置く再生処理（スルホン化処理）を行うことにより、従来の加熱処理に必要なコストを低減できるので、使用済みカーボン系固体酸触媒の再生に要するエネルギーコストを従来よりも低減できる。
【００６２】
また、本実施形態によれば、反応管３ａ内において使用済みカーボン系固体酸触媒の再生処理を実行するので、反応管３ａ内から使用済みカーボン系固体酸触媒を別の容器に移し替える手間を省くことができる。また、本実施形態によれば、固体酸触媒再生装置３Ａ、３Ｂに固体酸触媒糖化装置３が一体化されているので、固体酸触媒再生装置３Ａ、３Ｂと固体酸触媒糖化装置３とが別々に設けられる場合に比べて、省スペース化を実現できる。
【００６３】
〔第２実施形態〕
次に、第２実施形態に係るカーボン系固体酸触媒の再生装置３Ｃ（以下、固体酸触媒再生装置３Ｃと略記する。）について説明する。固体酸触媒再生装置３Ｃは、後述する固体酸触媒糖化装置１３の触媒反応槽１３ｃ（第１実施形態における反応管３ａに相当）内ではなく、別途設けられた再生反応槽３１内において使用済みカーボン系固体酸触媒の再生を行う点において、第１実施形態に係る固体酸触媒再生装置３Ａ、３Ｂと相違する。なお、固体酸触媒再生装置３Ｃ及び固体酸触媒糖化装置１３以外のエタノール製造プラントＡにおける機能構成要素、すなわち熱水処理装置１、酵素糖化装置２、エタノール発酵装置４及び蒸留装置５については、第１実施形態の説明の中のものと同一であるので、図６には図示せず、説明を省略する。
【００６４】
上記固体酸触媒糖化装置１３は、図６に示すように、多糖液供給ポンプ１３ａ、流量計１３ｂ、触媒反応槽１３ｃ、攪拌装置１３ｄ、酸化還元電位計１３ｅ、ｐＨ計１３ｆ、触媒分離槽１３ｇ、触媒返送装置１３ｈ、第２の酸化還元電位計１３ｉ、第２のｐＨ計１３ｊ、触媒回収ポンプ１３ｋ、触媒回収槽１３ｍ、液返送ポンプ１３ｎ、フロートスイッチ１３ｐ、触媒排出弁１３ｑ、閉塞防止用ガスブロワ１３ｒ、開閉弁１３ｓ、１３ｔ、１３ｕによって構成されている。このような固体酸触媒糖化装置１３は、酵素糖化装置２から供給された多糖液中の多糖類を単糖化する装置であり、使用済みカーボン系固体酸触媒を固体酸触媒再生装置３Ｃに排出する。
【００６５】
多糖液供給ポンプ１３ａは、酵素糖化装置２から多糖液を汲み出して触媒反応槽１３ｃに供給するポンプである。流量計１３ｂは、上記多糖液供給ポンプ１３ａと触媒反応槽１３ｃとを接続する配管の途中に設けられ、多糖液の供給流量を計測する流量計測器である。
【００６６】
触媒反応槽１３ｃは、多糖液中の多糖類にカーボン系固体酸触媒を作用させて多糖類を単糖化処理するものである。この触媒反応槽１３ｃは、図示するように所定容量の多糖液を収容する円筒状容器であり、中心軸が鉛直方向となる姿勢で設けられている。また、触媒反応槽１３ｃの底部には、粒状のカーボン系固体酸触媒を取り込む触媒取込部ｃ１が設けられ、また上部周縁には処理済み液を排出する排出口ｃ２が設けられている。つまり、触媒反応槽１３ｃ内に貯留される液は、多糖液に粒状のカーボン系固体酸触媒が混合された混合液である。
【００６７】
攪拌装置１３ｄは、触媒反応槽１３ｃにおける混合液を攪拌する装置である。この攪拌装置１３ｄは、図示するように、鉛直姿勢の回転軸に固定されると共に触媒反応槽１３ｃの混合液に浸漬されたパドル（攪拌翼）を、モータによって所定速度で回転させることにより混合液を攪拌するものである。攪拌装置１３ｄにおけるパドルは、円筒状の触媒反応槽１３ｃにおける混合液を上下位置で偏ることなく均一に混合するために、図示するように回転軸に対して上下２段に設けられているが、上下高さが増加すれば３段以上の多段がよい。このような攪拌装置１３ｄによる混合液の攪拌によって、触媒反応槽１３ｃ内においてカーボン系固体酸触媒を多糖液に対して均一に分散させることができる。
【００６８】
酸化還元電位計１３ｅは、触媒反応槽１３ｃにおける混合液の酸化還元電位を計測する計測器である。ｐＨ計１３ｆは、触媒反応槽１３ｃにおける混合液のｐＨを計測する計測器である。酸化還元電位は、周知のように、化学反応の種別によって、また化学反応の平衡状態（進行状態）によって異なる値を示すものである。また、カーボン系固体酸触媒の触媒としての活性状態は、混合液のｐＨ（水素イオン指数）として現れる。
【００６９】
触媒反応槽１３ｃにおける混合液内の多糖類が単糖化する反応について、当該反応が良好な状態と不調な状態とで酸化還元電位とｐＨとに差異が生じる。すなわち、酸化還元電位計１３ｅ及びｐＨ計１３ｆは、触媒反応槽１３ｃ内における多糖類から単糖類への分解反応、つまりカーボン系固体酸触媒を用いて混合液内の多糖類を単糖化する分解反応の状態を把握するためのものである。
【００７０】
なお、酸化還元電位は、周知のように反応系のｐＨに対して依存性があるので、ｐＨ計１３ｆの計測値は、酸化還元電位計１３ｅの計測値を正確に評価するためにも有効活用される。また、図示していないが、酸化還元電位計１３ｅの計測値及びｐＨ計１３ｆの計測値に基づく上記分解反応の状態評価は、専用の評価用プログラムを搭載する制御装置（コンピュータ）によって自動的かつ客観的に行われる。
【００７１】
触媒分離槽１３ｇは、触媒反応槽１３ｃから受け取った処理済み液からカーボン系固体酸触媒を分離する沈殿槽である。この触媒分離槽１３ｇは、図示するように所定容量の処理済み液を収容する円筒状容器であり、中心軸が鉛直方向となる姿勢で設けられている。また、触媒分離槽１３ｇの上部中心には、図示するように処理済み液を受け入れる筒状部材ｇ１が鉛直姿勢で設けられ、触媒分離槽１３ｇの底部には、沈殿した粒状のカーボン系固体酸触媒を排出する触媒排出口ｇ２が設けられ、また上部周縁には処理済み液からカーボン系固体酸触媒が分離された単糖液（単糖類を主成分として含む液体）をエタノール発酵装置４に排出する単糖液排出口ｇ３が設けられている。
【００７２】
触媒返送装置１３ｈは、図示するようにスクリューコンベヤであり、上記触媒排出口ｇ２から排出されたカーボン系固体酸触媒を触媒取込部ｃ１に供給する搬送装置である。第２の酸化還元電位計１３ｉは、触媒分離槽１３ｇにおける上澄み液つまり単糖液の酸化還元電位を計測する計測器である。第２のｐＨ計１３ｊは、触媒分離槽１３ｇにおける上澄み液つまり単糖液のｐＨを計測する計測器である。このような第２の酸化還元電位計１３ｉ及び第２のｐＨ計１３ｊは、単糖液の性状及びカーボン系固体酸触媒の活性状態を評価するためのものである。なお、このような第２の酸化還元電位計１３ｉの計測値及び第２のｐＨ計１３ｊの計測値に基づく単糖液の性状評価及びカーボン系固体酸触媒の活性状態評価は、図示しないが、専用の評価用プログラムを搭載する制御装置によって自動的かつ客観的におこなわれてもよい。
【００７３】
触媒回収ポンプ１３ｋは、触媒反応槽１３ｃから混合液の一部を汲み出して触媒回収槽１３ｍに供給するポンプである。触媒回収槽１３ｍは、上記触媒回収ポンプ１３ｋから供給された混合液を一時的に貯留する容器であり、混合液からカーボン系固体酸触媒を分離して底部から排出する。液返送ポンプ１３ｎは、混合液からカーボン系固体酸触媒を分離した液（多糖液がカーボン系固体酸触媒によってある程度処理されたもの）を触媒回収槽１３ｍから汲み出して触媒反応槽１３ｃに返送するポンプである。
【００７４】
フロートスイッチ１３ｐは、触媒回収槽１３ｍの喫水に応じて作動する機械式のスイッチであり、上記触媒回収ポンプ１３ｋの作動をＯＮ/ＯＦＦするものである。すなわち、フロートスイッチ１３ｐは、触媒回収槽１３ｍの喫水が所定値以下になるとＯＮして触媒回収ポンプ１３ｋを作動させる。触媒排出弁１３ｑは、触媒回収槽１３ｍの底部に連通する配管に設けられた開閉弁であり、触媒回収槽１３ｍから固体酸触媒再生装置３Ｃへのカーボン系固体酸触媒の排出をＯＮ/ＯＦＦする。
【００７５】
閉塞防止用ガスブロワ１３ｒは、図示するように、上記触媒取込部ｃ１、触媒返送装置１３ｈ及び触媒回収槽１３ｍの底部に連通する配管に、カーボン系固体酸触媒による閉塞を防止するための圧縮空気を供給するポンプである。開閉弁１３ｓは、閉塞防止用ガスブロワ１３ｒと触媒取込部ｃ１との間に設けられ、開閉弁１３ｔは、閉塞防止用ガスブロワ１３ｒと触媒返送装置１３ｈとの間に設けられ、また開閉弁１３ｕは、触媒回収槽１３ｍの底部に連通する配管と閉塞防止用ガスブロワ１３ｒとの間に設けられている。
【００７６】
一方、固体酸触媒再生装置３Ｃは、図６に示すように、再生反応槽３１、硫酸タンク３２、硫酸供給ポンプ３３、硫酸供給弁３４、硫酸排出弁３５及び触媒返送ポンプ３６から構成されている。このような固体酸触媒再生装置３Ｃは、固体酸触媒糖化装置１３から排出された使用済みカーボン系固体酸触媒を再生処理する装置である。
【００７７】
再生反応槽３１は、触媒回収槽１３ｍから供給された使用済みカーボン系固体酸触媒を収容する所定容量の容器であり、上部（例えば上面）に配管を介して固体酸触媒糖化装置１３の触媒排出弁１３ｑが接続されると共に別の配管を介して硫酸供給弁３４が接続され、下部（例えば底面）に配管を介して硫酸排出弁３５が接続されると共に別の配管を介して触媒返送ポンプ３６が接続されている。
【００７８】
硫酸タンク３２は、硫酸を貯留する所定容量の容器であり、硫酸を硫酸供給ポンプ３３に供給する。硫酸供給ポンプ３３は、硫酸タンク３２から硫酸を汲み出して硫酸供給弁３４に供給するポンプである。硫酸供給弁３４は、硫酸供給ポンプ３３と再生反応槽３１とを接続する配管に取り付けられた開閉弁であり、当該配管の流路（硫酸流路）を開閉する。
【００７９】
硫酸排出弁３５は、再生反応槽３１内の液体（硫酸）を外部に排出するための開閉弁である。触媒返送ポンプ３６は、再生反応槽３１内から使用済みカーボン系固体酸触媒を汲み出して固体酸触媒糖化装置１３の触媒反応槽１３ｃに返送するポンプである。なお、上記固体酸触媒糖化装置１３及び固体酸触媒再生装置３Ｃ全体は、上述した制御装置によって統一的かつ自動的に制御される。
【００８０】
ここで、上述した再生反応槽３１は、例えば図７のように構成されている。すなわち、再生反応槽３１は、再生容器３１ａ、三酸化硫黄ガスタンク３１ｂ、三酸化硫黄ガス供給弁３１ｃ、スクリューコンベア３１ｄ及び回収容器３１ｅから構成されている。再生容器３１ａは、図示するように垂直断面が「レ字」形状つまり垂直壁部と垂直方向に対して一定角度で傾斜する傾斜壁部とを備えた容器であり、上述した触媒排出弁１３ｑを介して使用済みカーボン系固体酸触媒を上方から受け入れて収容すると共に、硫酸供給弁３４を介して硫酸を上方から受け入れて収容する。
【００８１】
三酸化硫黄ガスタンク３１ｂは、三酸化硫黄ガスを貯留する所定容量の容器であり、三酸化硫黄ガスを三酸化硫黄ガス供給弁３１ｃに供給する。三酸化硫黄ガス供給弁３１ｃは、三酸化硫黄ガスタンク３１ｂと再生容器３１ａとを接続する配管に取り付けられた制御弁であり、当該配管の流路（三酸化硫黄ガス流路）を開閉する。この三酸化硫黄ガス供給弁３１ｃは、上述した制御装置によって開閉状態（開口率）が自動制御される。なお、このような三酸化硫黄ガスタンク３１ｂ及び三酸化硫黄ガス供給弁３１ｃは必須の構成要素ではなく必要に応じて削除してもよい。
【００８２】
スクリューコンベア３１ｄは、図示するように上記傾斜壁部に沿って設けられることにより再生容器３１ａの内部空間から外部空間にかけて延在する。すなわち、スクリューコンベア３１ｄは、垂直方向に対して一定角度で傾斜した状態に設けられており、一端（下端の取入口）が再生容器３１ａの内部空間において硫酸に浸漬された使用済みカーボン系固体酸触媒に埋没する一方、他端（上端の吐出口）が再生容器３１ａの外部空間に達している。
【００８３】
このようなスクリューコンベア３１ｄは、上記取入口からカーボン系固体酸触媒（触媒活性が復活したもの）を順次取り込んで吐出口から排出する。回収容器３１ｅは、図示するように上部が開放された容器であり、上記スクリューコンベア３１ｄの吐出口から落下したカーボン系固体酸触媒を収容する。回収容器３１ｅ内のカーボン系固体酸触媒は、触媒返送ポンプ３６によって触媒反応槽１３ｃに返送される。
【００８４】
次に、このように構成された固体酸触媒糖化装置１３及び固体酸触媒再生装置３Ｃの動作について説明する。固体酸触媒糖化装置１３及び固体酸触媒再生装置３Ｃは、上記制御装置によって制御される。
【００８５】
つまり、固体酸触媒糖化装置１３では、制御装置による制御の下、多糖液が多糖液供給ポンプ１３ａによって触媒反応槽１３ｃに所定の流量で順次連続的に供給される。そして、多糖液は、カーボン系固体酸触媒と混合された状態つまり混合液として触媒反応槽１３ｃ内に一定時間滞留し、この滞留の間にカーボン系固体酸触媒の触媒作用によって単糖化される。そして、当該単糖化後の処理済み液は、触媒反応槽１３ｃの上部周縁に設けられた排出口ｃ２から上澄み液として排出されて触媒分離槽１３ｇの筒状部材ｇ１内に供給される。
【００８６】
このような触媒反応槽１３ｃ内における多糖類の単糖類への分解反応の進行状態は、酸化還元電位計１３ｅ及びｐＨ計１３ｆによってモニタされる。すなわち、酸化還元電位計１３ｅの計測結果である酸化還元電位値は、上記分解反応の進行状態を示すものであり、またｐＨ計１３ｆの計測結果であるｐＨ値は、上記分解反応に応じた水素イオン濃度を示すものである。
【００８７】
例えば、多糖液に含まれる多糖類がセロオリゴ糖を主成分とする場合、触媒反応槽１３ｃ内ではカーボン系固体酸触媒の触媒作用によってセロオリゴ糖がグルコースに分解されるが、この分解反応が正常に進行している場合の酸化還元電位値は、−１１００（ｍＶ vs. ＳＨＥ）より小さな値となる。また、触媒反応槽１３ｃ内の混合液が４．０より小さいｐＨ値を示している場合、カーボン系固体酸触媒は酸として十分な触媒作用を示している。
【００８８】
したがって、酸化還元電位計１３ｅが出力する計測値が−１１００（ｍＶ vs. ＳＨＥ）より小さな値であり、かつ、ｐＨ計１３ｆが出力する計測値が４．０より小さい値を示しているとき、触媒反応槽１３ｃ内では順調に分解反応が進行していると評価することができる。これに対して、酸化還元電位計１３ｅが出力する計測値が−１１００（ｍＶ vs. ＳＨＥ）以上、かつ、ｐＨ計１３ｆが出力する計測値が４．０以上のとき、触媒反応槽１３ｃ内における分解反応が何らかの原因で不調な状態にあると判断することができる。
【００８９】
また、固体酸触媒糖化装置１３では、上述した様に処理済み液が触媒反応槽１３ｃから触媒分離槽１３ｇの筒状部材ｇ１内に順次連続的に供給される。触媒分離槽１３ｇでは、処理済み液から固体酸触媒が分離された液、つまり上澄み液が単糖類を主成分として含む単糖液として単糖液排出口ｇ３からエタノール発酵装置４に排出される一方、触媒分離槽１３ｇで回収されたカーボン系固体酸触媒は、触媒返送装置１３ｈによって触媒排出口ｇ２から触媒反応槽１３ｃに順次返送される、このような触媒反応槽１３ｃと触媒分離槽１３ｇとの間におけるカーボン系固体酸触媒の循環によって、触媒反応槽１３ｃにおけるカーボン系固体酸触媒の濃度はほぼ一定に維持される。
【００９０】
ここで、固体酸触媒糖化装置１３の運転を継続すると、カーボン系固体酸触媒の活性は徐々に低下する。触媒分離槽１３ｇにおける上澄み液つまり単糖液の酸化還元電位を第２の酸化還元電位計１３ｉによって計測し、また第２のｐＨ計１３ｊによって単糖液のｐＨを計測するので、単糖液の性状及びカーボン系固体酸触媒の活性状態を的確に評価することができる。
【００９１】
例えば、多糖液に含まれる多糖類がセロオリゴ糖を主成分とする場合には、単糖液はグルコースを主に含むものとなるが、このような単糖液の性状が良好であると言える酸化還元電位値は、−９００（ｍＶ vs. ＳＨＥ）より小さな範囲である。また、単糖液が５．０より小さいｐＨ値を示している場合、カーボン系固体酸触媒は、酸として十分な活性状態にあると言える。
【００９２】
第２のｐＨ計１３ｊが出力する計測値に基づいてカーボン系固体酸触媒の活性がある程度まで低下したことが確認されると、触媒回収ポンプ１３ｋが起動して触媒反応槽１３ｃ内のカーボン系固体酸触媒の触媒回収槽１３ｍへの回収を開始する。触媒回収ポンプ１３ｋは、このようにして起動すると、フロートスイッチ１３ｐによる制御に基づいて混合液を触媒反応槽１３ｃから回収する。ここで、カーボン系固体酸触媒の触媒回収槽１３ｍへの回収によって触媒反応槽１３ｃにおけるカーボン系固体酸触媒の濃度が低下するので、これを補うようにカーボン系固体酸触媒が、固体酸触媒再生装置３Ｃから触媒反応槽１３ｃに供給される。
【００９３】
そして、触媒反応槽１３ｃから触媒回収槽１３ｍに回収された混合液は、カーボン系固体酸触媒が分離され、当該カーボン系固体酸触媒は触媒排出弁１３ｑを介して固体酸触媒再生装置３Ｃの再生反応槽３１に使用済みカーボン系固体酸触媒として排出される一方、当該使用済みカーボン系固体酸触媒が分離された液は、触媒返送ポンプ３６によって触媒反応槽１３ｃに戻される。また、触媒取込部ｃ１、触媒返送装置１３ｈ及び触媒回収槽１３ｍの底部に連通する配管は、粒状の使用済みカーボン系固体酸触媒が通過するので閉塞が発生する可能性があるが、閉塞防止用ガスブロワ１３ｒから圧縮空気が供給されるので、上記閉塞を効果的に防止することができる。
【００９４】
続いて、固体酸触媒再生装置３Ｃは、制御装置による制御に基づいて再生反応槽３１内に固体酸触媒糖化装置１３から供給されて収容される使用済みカーボン系固体酸触媒に対して以下の再生処理（スルホン化処理）を行う。
【００９５】
〔硫酸浸漬処理〕
固体酸触媒再生装置３Ｃは、再生処理（スルホン化処理）として硫酸浸漬処理を行う。つまり、固体酸触媒再生装置３Ｃでは、硫酸供給弁３４が開状態に設定されると共に硫酸供給ポンプ３３が稼動し、かつ、硫酸排出弁３５が開状態に設定される。これによって、再生反応槽３１内には、硫酸供給弁３４から硫酸が供給されると共に硫酸排出弁３５から排出される。
【００９６】
つまり、固体酸触媒再生装置３Ｃでは、再生反応槽３１内に硫酸を流通させつつ、使用済みカーボン系固体酸触媒を浸漬させる。この結果、再生反応槽３１内の使用済みカーボン系固体酸触媒は、硫酸に浸漬した状態となってスルホン化される。固体酸触媒再生装置３Ｃでは、所定時間（例えば５時間）使用済みカーボン系固体酸触媒を硫酸に浸漬すると、硫酸供給弁３ｆが閉状態に設定されると共に硫酸供給ポンプ３ｅが停止されて再生反応槽３１内への硫酸の供給が停止する。
【００９７】
この硫酸浸漬処理の処理条件として、硫酸の濃度は例えば９２％以上である。また、固体酸触媒再生装置３Ｃでは、硫酸を流通させてスルホン化させる方法以外にも、硫酸供給弁３４、硫酸供給ポンプ３３及び硫酸排出弁３５の制御を変えることによって、再生反応槽３１内における硫酸の貯留と排出を繰り返すセミバッチ方式を用いて使用済みカーボン系固体酸触媒をスルホン化させてもよい。
【００９８】
このような硫酸浸漬処理によって、使用済みカーボン系固体酸触媒のスルホ基を復活させることができる。また、硫酸を流通するので、使用済みカーボン系固体酸触媒に付着した水分によって硫酸が希釈されることを防いで、硫酸の濃度を維持できる。なお、本実施形態では、使用済みカーボン系固体酸触媒の洗浄を行っていないが、使用済みカーボン系固体酸触媒に付着した不純物が硫酸により分解されて除去されるので問題にならず、また脱水も行っていないが、硫酸の流通またはセミバッチ処理により硫酸の濃度が確保でき、また硫酸と水の接触による発熱についても再生反応槽３１を予め耐熱性を考慮して製造すれば問題ない。
【００９９】
このような本実施形態によれば、硫酸の流通またはセミバッチ処理によってセルロースあるいはヘミセルロースの可溶化物（多糖液）の加水分解に供された使用済みカーボン系固体酸触媒を硫酸の雰囲気下に置く再生処理（スルホン化処理）を行うことにより、従来の加熱処理に必要なコストを低減できるので、使用済みカーボン系固体酸触媒の再生に要するエネルギーコストを従来よりも低減できる。
【０１００】
また、図７に示した再生反応槽３１では、使用済みカーボン系固体酸触媒が再生容器３１ａにおいて硫酸に浸漬されることによって使用済みカーボン系固体酸触媒の触媒活性が回復する。この回復はスルホ基が硫酸から使用済みカーボン系固体酸触媒に供給されることによって行われるので、回復過程において硫酸の濃度は低下する。しかしながら、三酸化硫黄ガスタンク３１ｂから再生容器３１ａに三酸化硫黄ガスが供給されるので、再生容器３１ａ内におけるスルホ基の量は一定に維持される。したがって、本実施形態によれば、再生容器３１ａ内における硫酸の再生能力が低下しないので、効果的に使用済みカーボン系固体酸触媒を再生処理することができる。
【０１０１】
なお、本発明は上記実施形態に限定されるものではなく、例えば以下のような変形例が考えられる。
（１）上記第１、第２実施形態では、反応管３ａまたは再生反応槽３１内において使用済みカーボン系固体酸触媒を硫酸に浸漬しただけであるが、硫酸内と使用済みカーボン系固体酸触媒とを攪拌して反応をより活性化させてもよい。例えば、反応管３ａまたは再生反応槽３１内に攪拌装置を設け、この攪拌装置によって固体酸触媒と硫酸とを攪拌するようにしてもよい。
【０１０２】
（２）上記第１実施形態では、脱水処理として吸引ろ過処理に加えてエタノールや濃硫酸を用いた脱水も行っているが、ろ過処理やエタノールあるいは濃硫酸用いた脱水を単独で行うようにしてもよい。また、吸引ろ過や、硫酸またはエタノールを用いた脱水以外にも加熱によって蒸発する方法があり、これらの方法を適宜組み合わせて用いるようにしてもよい。
【０１０３】
（３）上記第１、第２実施形態では、エタノール、濃硫酸または硫酸に使用済みカーボン系固体酸触媒を浸漬させるが、浸漬以外にもシャワー管などによってこれら液体をシャワー状に使用済みカーボン系固体酸触媒に向けて噴射するようにして使用済みカーボン系固体酸触媒をこれら液体の雰囲気下に置くようにしてもよい。つまり、使用済みカーボン系固体酸触媒がこれら液体の雰囲気下に置くことができれば、その方法はどのような方法であってもよい。
（４）上記第１、第２実施形態では、木質系バイオマスを原料とし用いているが、草本系バイオマスを用いてもよいし、またバイオマス以外のものを原料として用いてもよい。
【０１０４】
（５）上記第１実施形態に係る固体酸触媒再生装置３Ａ、３Ｂに一体化した固体酸触媒糖化装置３は、固定状態に収納されたカーボン系固体酸触媒に多糖液を通過させて多糖液中の多糖類を加水分解する固定床型の装置であるが、攪拌装置を用いて粉末状のカーボン系固体酸触媒と水溶性オリゴ糖とを撹拌混合させて反応させる攪拌型の装置であってもよい。また、逆に、上記第２実施形態に係る固体酸触媒再生装置３Ｃに分離して設けられた固体酸触媒糖化装置１３は、攪拌型の装置であるが、固定床型の装置であってもよい。
【０１０５】
（６）上記第１実施形態における第２の洗浄処理においてエタノールまたは水を洗浄液として使用しているが、洗浄液については適宜選択すればよい。また、洗浄処理についても、洗浄液を熱水として用いているが、熱水以外にも常温の水であってもよいし、またエタノールを用いるようにしてもよい。
【０１０６】
（７）上記第１実施形態に係る固体酸触媒再生装置３Ａ、３Ｂと固体酸触媒糖化装置３とが一体化されているが、本発明はこれに限定されない。固体酸触媒再生装置３Ａ、３Ｂと固体酸触媒糖化装置３とが一体化されることによって、反応管３ａ内に硫酸が供給されることになるが、硫酸による反応管３ａの腐食に対する対策コスト等が原因で、固体酸触媒再生装置３Ａ、３Ｂと固体酸触媒糖化装置３とを一体化した場合の方が、固体酸触媒再生装置３Ａ、３Ｂと固体酸触媒糖化装置３とを別々に設けた場合よりもコスト高になる場合には、第２実施形態のように固体酸触媒再生装置３Ａ、３Ｂと固体酸触媒糖化装置３とを分離して設けるようにしてもよい。また、逆に、第２実施形態に係る固体酸触媒再生装置３Ｃと固体酸触媒糖化装置１３とを一体化させてもよい。
【０１０７】
（８）上記第１実施形態では、洗浄処理、脱水処理、硫酸浸漬処理及び第２の洗浄処理を行っているが、本発明はこれに限定されない。例えば、第１実施形態が、第２実施形態と同様に煙硫酸浸漬処理のみを行うようにしてもよいし、また硫酸浸漬処理に組み合わせて洗浄処理、脱水処理、及び第２の洗浄処理を適宜用いればよい。一方、上記第２実施形態では、硫酸浸漬処理のみを行っているが、新たな構成を追加して第１実施形態と同様に洗浄処理、脱水処理、硫酸浸漬処理及び第２の洗浄処理を行うようにしてもよいし、また硫酸浸漬処理に組み合わせて洗浄処理、脱水処理、及び第２の洗浄処理を適宜用いればよい。
【０１０８】
（９）上記第１実施形態では、図２や図３に示したように固体酸触媒糖化装置３及び固体酸触媒再生装置３Ａに１本の反応管３ａを用いたが、本発明はこれに限定されない。固体酸触媒糖化装置３及び固体酸触媒再生装置３Ａを構成する反応管として、図８に示すように直列接続あるいは並列接続された複数（３本）のユニット管３ａ1〜３ａ3を採用してもよい。このように、複数のユニット管３ａ1〜３ａ3を反応管として採用することにより、ユニット管３ａ1〜３ａ3を外部に取り出して使用済みカーボン系固体酸触媒の再生処理を行う場合に、ユニット管３ａ1〜３ａ3の取り外しや交換が容易である。
【０１０９】
（１０）また、上記図８に示すように、３本のユニット管３ａ1〜３ａ3の入口側と出口側とを出口側開閉弁３ｖ、循環ポンプ３ｗ、三酸化硫黄ガス添加装置３ｘ及び入口側開閉弁３ｙを介して接続することにより、使用済みカーボン系固体酸触媒の再生用に各ユニット管３ａ1〜３ａ3内に充填された硫酸を上記入口側と出口側との間で循環させてもよい。
【０１１０】
本実施形態におけるエタノール製造プラントＡはセルロースまたはヘミセルロースの可溶化物（多糖液）の加水分解に供された使用済みカーボン系固体酸触媒を再生対象とするので、使用済みカーボン系固体酸触媒の表面における付着物が極めて少ない。したがって、使用済みカーボン系固体酸触媒の再生に使用された硫酸は、使用済みカーボン系固体酸触媒に由来する不純物を殆ど含んでいないので、そのまま使用済みカーボン系固体酸触媒の再生に再利用できる。これに対して、セルロースまたはヘミセルロースを可溶化せず固体のままカーボン系固体酸触媒で処理した場合の使用済みカーボン系固体酸触媒は、表面に固形の不純物が多く付着するので再利用することが困難であり、再利用するためには不純物除去の処理を施す必要があるのでコスト的に不利であり、結局のところ廃液とせざるを得ない。
【０１１１】
図８の構成では、使用済みカーボン系固体酸触媒の再生に供された硫酸が不純物を殆ど含んでいないことに着目して、循環ポンプ３ｗによって３本のユニット管３ａ1〜３ａ3の出口側から出口側開閉弁３ｖを介して硫酸を抜き取り、当該硫酸に三酸化硫黄ガス添加装置３ｘによって三酸化硫黄ガスを添加し、入口側開閉弁３ｙを介して３本のユニット管３ａ1〜３ａ3の入口側に戻す。すなわち、上述したように使用済みカーボン系固体酸触媒の再生によって失われるスルホ基の補充を行いつつ、硫酸を３本のユニット管３ａ1〜３ａ3の入口側から出口側に対流させることによって使用済みカーボン系固体酸触媒との反応性を向上させることが可能である。
【０１１２】
（１１）また、固体酸触媒糖化装置３の反応管３ａでは、出口側近傍のカーボン系固体酸触媒よりも入口側近傍のカーボン系固体酸触媒の方が劣化し易い。すなわち、固体酸触媒糖化装置３では、反応管３ａが管状形状であり、また一端から他端に多糖液を流通させるので、反応管３ａ内の位置によってカーボン系固体酸触媒の劣化状態が異なる。このようなカーボン系固体酸触媒の劣化傾向に対して、図８（ａ）に示す３本のユニット管３ａ1〜３ａ3を直列接続する構成は、使用済みカーボン系固体酸触媒の効率的な再生処理を提供することができる。
【０１１３】
すなわち、直列接続された３本のユニット管３ａ1〜３ａ3のうち、劣化が最も著しい第１のユニット管３ａ1の使用済みカーボン系固体酸触媒を優先して選択的に再生処理するために、図９に示すように第１のユニット管３ａ1の出口側に中間三方弁３ｚを設ける構成が考えられる。このような中間三方弁３ｚによって第１のユニット管３ａ1の出口側と循環ポンプ３ｗの吸引側とを接続することにより、第１のユニット管３ａ1に充填された硫酸を第１のユニット管３ａ1の出口側から入口側に循環させることにより第１のユニット管３ａ1内の使用済みカーボン系固体酸触媒のみを選択的に再生処理することができる。
【０１１４】
一方、中間三方弁３ｚによって第１のユニット管３ａ1の出口側と第２のユニット管３ａ2の入口側とを接続することにより、３本のユニット管３ａ1〜３ａ3内の使用済みカーボン系固体酸触媒を再生処理することができる。したがって、図９に示す構成によれば、多糖液の処理に必要なカーボン系固体酸触媒の全量のうち劣化の著しい一部を効率的に再生処理することができる。
【０１１５】
（１２）上記各実施形態では、熱水処理装置１及び酵素糖化装置２によってセルロースまたはヘミセルロースが可溶化した可溶化物（多糖液）の分解処理に供された使用済みカーボン系固体酸触媒を再生処理の対象としたが、本発明はこれに限定されない。セルロースまたはヘミセルロースの可溶化処理のプロセスとしては、熱水処理装置１と酵素糖化装置２との組み合わせ以外に、単独の熱水処理処理、単独の酵素処理、単独の酸処理、単独のアルカリ処理、単独の生物学的処理等の様々な処理が公知である。したがって、これら公知の可溶化処理を単独で用いるものあるいは当該公知の可溶化処理を複数組み合わせたものによってセルロースまたはヘミセルロースの可溶化物の分解処理に供された使用済みカーボン系固体酸触媒についても、本願発明は適用可能である。
【０１１６】
（１３）上記各実施形態では、濃硫酸または発煙硫酸を用いて使用済みカーボン系固体酸触媒を再生処理することについて説明したが、本発明はこれに限定されない。濃硫酸または発煙硫酸に代えて濃硫酸（一般的に９０％以上の濃度）程に濃度が高くない硫酸（ただし希硫酸を除く）を使用して使用済みカーボン系固体酸触媒を再生処理することも考えられる。
【符号の説明】
【０１１７】
Ａ…エタノール製造プラント、１…熱水処理装置、２…酵素糖化装置、３…固体酸触媒糖化装置、３Ａ、３Ｂ、３Ｃ…固体酸触媒再生装置、４…エタノール発酵装置、５…蒸留装置、３ａ…反応管、３ｂ…入口三方弁、３ｃ…出口三方弁、３ｄ…硫酸タンク、３ｅ…硫酸供給ポンプ、３ｆ…硫酸供給弁、３ｇ…硫酸供給管、３ｈ…エタノールタンク、３ｉ…エタノール供給ポンプ、３ｊ…エタノール供給弁、３ｋ…吸引ポンプ、３ｍ…排出弁、３ｎ…濃硫酸タンク、３ｐ…濃硫酸供給ポンプ、３ｑ…濃硫酸供給弁、３ｒ…濃硫酸供給管、３ｓ…三酸化硫黄ガスタンク、３ｔ…三酸化硫黄ガス供給弁、３ｕ…三酸化硫黄ガス供給管、３ａ1〜３ａ3…ユニット管、３ｖ…出口側開閉弁、３ｗ…循環ポンプ、３ｘ…三酸化硫黄ガス添加装置、３ｙ…入口側開閉弁、３ｚ…中間三方弁、１３…固体酸触媒糖化装置、１３ａ…多糖液供給ポンプ、１３ｂ…流量計、１３ｃ…触媒反応槽、１３ｄ…攪拌装置、１３ｅ…酸化還元電位計、１３ｆ…ｐＨ計、１３ｇ…触媒分離槽、１３ｈ…触媒返送装置、１３ｉ…第２の酸化還元電位計、１３ｊ…第２のｐＨ計、１３ｋ…触媒回収ポンプ、１３ｍ…触媒回収槽、１３ｎ…液返送ポンプ、１３ｐ…フロートスイッチ、１３ｑ…触媒排出弁、１３ｒ…閉塞防止用ガスブロワ、１３ｓ、１３ｔ、１３ｕ…開閉弁、ｃ１…触媒取込部、ｃ２…排出口、ｇ１…筒状部材、ｇ２…触媒排出口、ｇ３…単糖液排出口、３１…再生反応槽、３１ａ…再生容器、３１ｂ…三酸化硫黄ガスタンク、３１ｃ…三酸化硫黄ガス供給弁、３１ｄ…スクリューコンベア、３１ｅ…回収容器、３ｚ…中間三方弁、３２…硫酸タンク、３３…硫酸供給ポンプ、３４…硫酸供給弁、３５…硫酸排出弁、３６…触媒返送ポンプ
【図１】
2014000501.tif 000003
【図２】
2014000501.tif 000004
【図３】
2014000501.tif 000005
【図４】
2014000501.tif 000006
【図５】
2014000501.tif 000007
【図６】
2014000501.tif 000008
【図７】
2014000501.tif 000009
【図８】
2014000501.tif 000010
【図９】
2014000501.tif 000011